(57)【要約】      （修正有）【課題】ユーザーが髪の毛の締まり具合をコントロールし、自動的に跳ね返ることができるヘアクリップを提供する。【解決手段】ヘアクリップは、少なくとも一つの第１クリップ１、一つの第２クリップ２、一つの開啓装置３および少なくとも四組の係合構造４を含み、第１クリップ１が一端に配置される。第２クリップは、一端に複数の第２リブ２０が設けられ、他端に複数の第２回転軸ブラケット２１が設けられた開啓装置３を用いることができる。第２クリップ２によって押された第１クリップ１と第２クリップ２は対応して横方向に動かすことができ、係合構造４は対応する各組の第１リブ１０と第２リブ２０の隣接位置にそれぞれ配置される。構造体は一方向歯列４０と締結隆起部４１を備え、一方向歯列４０と締結隆起部４１はそれぞれ対応する第１リブ１０と第２リブ２０に隣接して配置される。【選択図】図１
0003222982.tif 000002
【実用新案登録請求の範囲】
【請求項１】
第１クリップと、第２クリップと、啓開装置と、少なくとも１つの第１弾性部材と、第２弾性部材と、少なくとも４組の係合構造と、を有するヘアクリップであって、
前記第１クリップは、一端に複数の第１リブが設けられ、他端に複数の第１回転軸ブラケットが設けられており、隣り合う前記第１リブの間に形成される空間は前記第２クリップよりも大きく、前記第２クリップに設けられる第２リブの幅、および隣接する前記第１回転軸ブラケットの間に形成される空間は、前記第２クリップの第２回転軸ブラケットの幅よりも大きく、
前記第２クリップは、一端に複数の前記第２リブが設けられ、他端に複数の前記第２回転軸ブラケットが設けられており、隣接する前記第２リブの間に形成される空間は前記第１クリップよりも大きく、前記第１リブの幅と、隣接する前記第２回転軸ブラケットの間に形成される空間とは、前記第１クリップの前記第１回転軸ブラケットの幅よりも大きく、隣接する前記第２クリップは、前記第１クリップの前記第１回転軸ブラケットの幅よりも広く、
前記啓開装置が前記第１クリップの複数の前記第１回転軸ブラケットと前記第２クリップの複数の前記第２回転軸ブラケットとの間に配置され、ピボットを有し、前記第１クリップの複数の前記第１回転軸ブラケットと前記第２クリップの複数の前記第２回転軸ブラケットとは互い違いに配置され、前記第１クリップの第１シャフトは前記ピボットを介して結合され、前記第１回転軸ブラケットは、前記第２クリップの複数の前記第２回転軸ブラケットに結合され、
少なくとも１つの前記第１弾性部材が隣接する前記第１回転軸ブラケットと前記第２回転軸ブラケットとの間に配置され、前記第１クリップと前記第２クリップとの間の相対位置を維持するために弾性支持を与え、
前記第２弾性部材が前記ピボットに設けられ、前記第２弾性部材の両端はそれぞれ前記第１クリップの内側と前記第２クリップの内側とに押し付けられており、
前記少なくとも４組の係合構造が、対応する各組の前記第１リブと前記第２リブとの隣接位置に、それぞれ配置されており、各前記係合構造には一方向歯列が設けられており、対応する前記第１リブと前記第２リブにそれぞれ隣接する位置には締結隆起部が配置されており、前記第１クリップと前記第２クリップとが互いにクランプされているときには、各組の前記係合構造に対応する前記１方向歯列と前記締結隆起部とが互いに座屈して締め付け力を維持するヘアクリップ。
【請求項２】
各グループの隣接する前記係合構造の前記一方向歯列と前記締結隆起部とが反対に配置されている請求項１に記載のヘアクリップ。
【請求項３】
前記第１クリップに複数の第１中空部が設けられ、前記第２クリップに複数の第２中空部が設けられ、前記第１クリップと前記第２クリップとが組み合わされて各前記第１中空部と各前記第２中空部とが複数の小さな中空孔を形成している請求項１に記載のヘアクリップ。
【請求項４】
前記第１クリップの外面に第１滑り止め要素が設けられ、前記第２クリップの表面に第２滑り止め要素が設けられ、前記第１滑り止め要素および前記第２滑り止め要素は複数の横方向の溝である請求項１または２に記載のヘアクリップ。
【考案の詳細な説明】
【技術分野】
【０００１】
本考案はヘアクリップに関し、特にユーザーが髪の毛の締まり具合をコントロールし、自動的に跳ね返ることができるヘアクリップに関する。
【背景技術】
【０００２】
この考案の創作者によって以前開発された特許文献１（ヘアクリップ（２））のような跳ね返り開き型ヘアクリップ（その特許ファミリーとして欧州特許Ｂ１、日本国特許Ｂ２および米国特許Ｂ３がある）はよく知られている。
このヘアクリップは左右のクリップ本体からなり、左右のクリップ本体にはそれぞれクリップリブが設けられており、クリップリブには対応する噛合歯部が設けられている。歯同士が接触しているときには、髪を締め付けることができる。左右の本体には啓開装置が設けられ、この啓開装置には左右の本体のそれぞれに対応する接合部が設けられ、接合部にシャフトを貫通させる。圧縮弾性要素およびねじり弾性要素により、使用者がヘアクリップで髪を掴むときには、左右の締め付け体を押すだけでよく、前歯の咬合のおかげで髪を締め付けることができる。しかしながら、使用者がヘアクリップを取り外したいときには、事前に啓開装置を押して左右のクリップを分離することでクリップされた髪を解放し、ヘアクリップを滑らかに取り外すだけでよい。これは便利な操作性および実用性を実現する革新的な特徴である。それはまた、より良い装飾的効果をもたらす。
【０００３】
しかしながら、本考案の創作者の長期に亘る製造経験によれば、従来のヘアスタイリング用のヘアクリップは、リブに設けられた係合歯部に比較的強い締め付け力を与えられていることが判明した。その過程で、噛み合う歯は必然的にわずかな誤差を有することになる。
あるいは、使用者がヘアクリップを一定期間使用すると、ヘアクリップは様々な環境的要因または人的要因によってわずかに変形または摩耗することがある。そのため、左右のクリップ本体の噛合歯同士を完全に噛み合わせることができないという問題がある。この場合、挟持作業時に、左右のクリップ本体の噛合歯部が非常に詰まってしまう。このとき、このヘアクリップは髪の毛によって容易に広げられ、左右のクリップの噛み合う歯は開く作業中に動けなくなり、滑らかに開けることができない。
さらに、従来のヘアクリップとヘアとの間の摩擦は不十分であり、ヘアクリップが脱落するのを防止するため、ユーザーはヘアクリップを非常にきつく締め付けなければならず、その一方、過度に締め付けるとヘアを損傷する可能性がある。また、それはヘアクリップを開けようとすると、これを妨げる。
さらに、従来のヘアクリップの表面は滑らかなため、使用者によって容易に保持されず、使用することが容易ではない。
このような課題を解決するために、この考案の創作者は従来のヘアクリップが有する問題に対応して、長年の研究開発および美容用品の分野において蓄積された製造経験を活用し、本考案を提案するに至った。
【先行技術文献】
【特許文献】
【０００４】
【特許文献１】台湾特許第Ｉ３２４５０８号公報（特許ファミリー：欧州特許第１９８２６１２号公報（Ｂ１）、日本国特許第４６１６３２９号公報（Ｂ２）および米国特許第７９８４７２０号公報（Ｂ３））
【考案の概要】
【考案が解決しようとする課題】
【０００５】
考案の目的は、
（１）クランプ操作と開閉操作の過程で、ヘアクリップの左右のクリップの滑らかさを向上させるために、ヘアクリップの左右のクリップに革新的な係合構造を設定すること、
（２）革新的な滑り止め構造設計により、ヘアクリップをユーザーがよりしっかりと保持することができること、そして、
（３）クリップがきつくない場合でも、髪を挟んだヘアクリップが簡単に滑り落ちないようにすること、である。
【課題を解決するための手段】
【０００６】
上記目的を達成するために、本考案のヘアクリップは、第１クリップと、第２クリップと、啓開装置と、少なくとも１つの第１弾性部材と、第２弾性部材と、少なくとも４組の係合構造と、を有する。
第１クリップは、一端に複数の第１リブが設けられ、他端に複数の第１回転軸ブラケットが設けられており、隣り合う第１リブの間に形成される空間は第２クリップよりも大きく、第２クリップに設けられる第２リブの幅、および隣接する第１回転軸ブラケットの間に形成される空間は、第２クリップ２の第２回転軸ブラケットの幅よりも大きい。
第２クリップは、一端に複数の第２リブが設けられ、他端に複数の第２回転軸ブラケットが設けられており、隣接する第２リブの間に形成される空間は第１クリップよりも大きく、第１リブの幅と、隣接する第２回転軸ブラケットの間に形成される空間とは、第１クリップの第１回転軸ブラケットの幅よりも大きく、隣接する第２クリップは、第１クリップの第１回転軸ブラケットの幅よりも広い。
啓開装置が第１クリップの複数の第１回転軸ブラケットと第２クリップの複数の第２回転軸ブラケットとの間に配置され、ピボットを有し、第１クリップの複数の第１回転軸ブラケットと第２クリップの複数の第２回転軸ブラケットとは互い違いに配置され、第１クリップの第１シャフトはピボットを介してプリペンド（結合）され、第１回転軸ブラケットは、第２クリップの複数の第２回転軸ブラケットに結合される。
少なくとも１つの第１弾性部材が隣接する第１回転軸ブラケットと第２回転軸ブラケットとの間に配置され、第１クリップと第２クリップとの間の相対位置を維持するために弾性支持を与える。
第２弾性部材がピボットに設けられ、第２弾性部材の両端はそれぞれ第１クリップの内側と第２クリップの内側とに押し付けられている。
少なくとも４組の係合構造が、対応する各組の第１リブと第２リブとの隣接位置に、それぞれ配置されており、各係合構造には一方向歯列が設けられており、対応する第１リブと第２リブにそれぞれ隣接する位置には締結隆起部が配置されており、第１クリップと第２クリップとが互いにクランプされているときには、各組の係合構造に対応する１方向歯列と締結隆起部とが互いに座屈して締め付け力を維持する。
【図面の簡単な説明】
【０００７】
【図１】本考案の実施例（一）の開いた状態の斜視図である。
【図２】本考案の実施例（一）の閉じた状態の斜視図である。
【図３】本考案の実施例（二）の分解斜視図である。
【図４】本考案の実施例（二）の斜視図である。
【図５】本考案の実施例（二）の開いた状態の平面図である。
【図６】本考案の実施例（二）の閉じた状態の平面図である。
【図７】本考案の実施例（二）の閉じた状態の斜視図である。
【図８】本考案の実施例（二）の開いた状態の斜視図である。
【図９】本考案の実施例（二）の閉じた状態の側面図である。
【図１０】本考案の実施例（二）の開いた状態の側面図である。
【考案を実施するための形態】
【０００８】
（実施例（一））
この考案がはっきり分かるように、以下、１〜１０図に示した実際の組み立て方を参照して説明する。
一つ第１クリップ１の一端には複数の第１リブ１０が設けられ、他端には複数の第１回転軸ブラケット１１が設けられており、隣り合う第１リブ１０の間に形成される空間は第２クリップよりも大きい。
シート２の第２リブ２０の幅、および隣接する第１回転軸ブラケット１１の間に形成される空間は、第２クリップ２の第２回転軸ブラケット２１の幅よりも大きい。
リブ１０と第１回転軸ブラケット１１とによって形成される空間は、それぞれ第２クリップ２の第２リブ２０と第第２回転軸ブラケット２１との移動空間として利用することができる。
第１クリップ１と第２クリップは互いに対して横方向に移動可能である。
【０００９】
（実施例（二））
図３〜図１０に示すように、第１クリップ１には第１中空部１２が設けられており、第１中空部１２は大きな中空孔または複数の小さな中空孔からなる構造によって形成されている。
第１クリップ１を保存するための原材料のコストが増加し、ヘアクリップと髪の毛との間の接着性が改善される（髪の毛クリップが髪の毛から滑り落ちるのを防ぐために、絞り髪を収容するために使用される）。
ユーザーがヘアクリップの視覚的美しさを保持し、増大させることはユーザーにとって便利である。
第１滑り止め部材１３は、第１クリップ１の外面に設けられ、ヘアクリップの滑り止め効果を高めるためのものであり、複数の横溝を有し（図７〜１０に示すように）、滑り止め効果が達成できるように、複数のバンプまたは滑り止めを有する。
【００１０】
一つ第２クリップ２の一端には複数の第２リブ２０が設けられ、他端には複数の第２回転軸ブラケット２１が設けられており、隣接する第２リブ２０の間に形成される空間は第１クリップよりも大きい。
第１クリップ１の第１リブ１０の幅と、隣接する第２回転軸ブラケット２１の間に形成される空間とは、第１クリップ１の第１回転軸ブラケット１１の幅よりも大きく、隣接する第２クリップは、第１クリップ１の第１軸ブラケット１１の幅よりも広い。
第１クリップ１の第１リブ１０と第１回転軸ブラケット１１との移動空間として、リブ２０と第２回転軸ブラケット２１とによって形成される空間をそれぞれ利用することができるので、第１クリップを利用することができる。
第１クリップ１と第２クリップ２は互いに対して横方向に移動可能である。
【００１１】
図３〜図１０に示すように、第２クリップ２には第２中空部２２が設けられており、この第２中空部２２は大きな中空孔または複数の小さな中空孔からなる構造によって形成されている。
第２クリップ２を製造するための材料費が節約され、ヘアクリップと髪の毛との間の接着状態が改善される（第２中空部２２は、髪の毛クリップが髪から落ちるのを防ぐために、絞られた髪を収容するために使用される）。
ユーザーがヘアクリップの視覚的美しさを保持し、増大させることはユーザーにとって便利である。
第２滑り止め部材２３は、第２滑り止め部材２３の滑り止め効果を高めるために第２クリップ２の外面に設けられ、複数の横溝を有し（図７〜１０に示すように）、滑り止め効果が達成できるように、複数のバンプまたは滑り止めを有する。
【００１２】
第１クリップ１の複数の第１回転軸ブラケット１１と第２クリップ２の複数の第２回転軸ブラケット２１との間には一つ啓開装置３が配置され、啓開装置３にはピボット３０が設けられている。
第１クリップ１の複数の第１回転軸ブラケット１１と第２クリップ２の複数の第２回転軸ブラケット２１とは互い違いに配置され、第１クリップ１の第１シャフトはピボット３０を介して結合される。
ブラケット１１は、第２クリップ２の複数の第２回転軸ブラケット２１に結合されているので、第１クリップ１と第２クリップ２とが現在互いにクランプされているとき、複数の第１リブ１０と第２クリップ２とは締め付けられる。
リブ２０は互いに絡み合っており、隣接する第２リブ２０によって形成される空間と隣接する第２回転軸ブラケット２１によって形成される空間とによって、第１クリップ１と第２クリップ２とが収容される。
ピボット３０の反対側が動く。
【００１３】
隣接する第１回転軸ブラケット１１と第２回転軸ブラケット２１との間には、少なくとも１つの第１弾性部材３１（例えば、バネ）が配置されている。
弾性支持は、第１クリップ１と第２クリップ２との間の相対位置を維持するためのものである。
ピボット３０には第２の弾性部材３２（例えば、ねじりバネ）が設けられ、第２の弾性部材３２の両端はそれぞれ第１クリップ１の内側と第２クリップ２の内側に押し付けられている。
第２弾性部材３２の弾性力によって第１クリップ１と第２クリップとを開くことができるので、ヘアクリップを開いたままにすることができる。
【００１４】
各組の対応する第１リブ１０と第２リブ２０との隣接位置には、少なくとも４組の係合構造４がそれぞれ配置されており、係合構造４には１方向歯列４０が設けられている。
対応する第１リブ１０と第２リブ２０にそれぞれ隣接する位置には、締結隆起部４１が配置されている。
このように、第１クリップ１と第２クリップ２とが互いにクランプされているときには、各組の係合構造４に対応する１方向歯列４０と締結隆起部４１とが互いに座屈する。
ヘアクリップの締め付け力を維持するため、本考案の創作者による実際の試験によれば、各グループの一方向歯列４０と隣接する係合構造４の締結隆起部４１とが互いに反対側に配置されている（例えば、図１〜１０に示すように）。
これにより、ヘアクリップの締める力は最も平均的となり、ヘアクリップが髪の毛の圧力によって押し上げられるのを効果的に防ぐことができる。
【００１５】
図５および６に示すように、ユーザーが本考案の優れたヘアクリップを使用するときは、ヘアクリップを保持し、次にヘアクリップを髪に押し付けて押すだけでよい。
一方向歯列４０と係合構造４の締結隆起部４１とは互いに座屈して位置決めされているので、ヘアクリップが髪をしっかりと保持する。
図７〜図１０に示すように、使用者がヘアクリップの両端で第１回転軸ブラケット１１と第２回転軸ブラケット２１を押すと、啓開装置３の第１弾性部材３１が圧縮される。
クリップ１と第２クリップ２とは横方向への逆方向の動きを生じ、その結果、各組の係合構造４の一方向歯列４０と締結隆起部４１とは互いに分離され、互いに解放される（図８）。
このとき、啓開装置３の第２弾性部材３２は、ヘアクリップの第１クリップ１と第２クリップ２とを跳ね返してヘアクリップを開いた状態に戻す。
このようにして、従来のヘアクリップの締め付け力が不安定で、滑りやすく、そして保持しにくく、本考案の構成要素であるという問題を解決することができる。
【００１６】
以上の実施形態または規定は、本考案の範囲、構造、または使用を限定することを意図するものではなく、本考案に対するいかなる変更または修正も、本考案の範囲から逸脱しないと見なされるべきである。
【符号の説明】
【００１７】
１    第１クリップ、
１０  第１リブ、
１１  第１回転軸ブラケット、
１２  第１中空部、
１３  第１滑り止め部材、
２    第２クリップ、
２０  第２リブ、
２１  第２回転軸ブラケット、
２２  第２中空部、
２３  第２滑り止め部材、
３    啓開装置、
３０  ピボット、
３１  第１弾性部材、
３２  第２弾性部材、
４    係合構造、
４０  一方向歯列、
４１  締結隆起部。
【図１】
0003222982.tif 000003
【図２】
0003222982.tif 000004
【図３】
0003222982.tif 000005
【図４】
0003222982.tif 000006
【図５】
0003222982.tif 000007
【図６】
0003222982.tif 000008
【図７】
0003222982.tif 000009
【図８】
0003222982.tif 000010
【図９】
0003222982.tif 000011
【図１０】
0003222982.tif 000012
【手続補正書】
【提出日】令和1年7月10日(2019.7.10)
【手続補正１】
【補正対象書類名】実用新案登録請求の範囲
【補正対象項目名】請求項１
【補正方法】変更
【補正の内容】
【請求項１】
第１クリップと、第２クリップと、啓開装置と、少なくとも１つの第１弾性部材と、第２弾性部材と、少なくとも４組の係合構造と、を有するヘアクリップであって、
前記第１クリップは、一端に複数の第１リブが設けられ、他端に複数の第１回転軸ブラケットが設けられており、前記第２クリップに設けられる第２リブの幅、および隣接する前記第１回転軸ブラケットの間に形成される空間は、前記第２クリップの第２回転軸ブラケットの幅よりも大きく、
前記第２クリップは、一端に複数の前記第２リブが設けられ、他端に複数の前記第２回転軸ブラケットが設けられており、前記第１リブの幅と、隣接する前記第２回転軸ブラケットの間に形成される空間とは、前記第１クリップの前記第１回転軸ブラケットの幅よりも大きく、隣接する前記第２クリップは、前記第１クリップの前記第１回転軸ブラケットの幅よりも広く、
前記啓開装置が前記第１クリップの複数の前記第１回転軸ブラケットと前記第２クリップの複数の前記第２回転軸ブラケットとの間に配置され、ピボットを有し、前記第１クリップの複数の前記第１回転軸ブラケットと前記第２クリップの複数の前記第２回転軸ブラケットとは互い違いに配置され、前記第１クリップの第１シャフトは前記ピボットを介して結合され、前記第１回転軸ブラケットは、前記第２クリップの複数の前記第２回転軸ブラケットに結合され、
少なくとも１つの前記第１弾性部材が隣接する前記第１回転軸ブラケットと前記第２回転軸ブラケットとの間に配置され、前記第１クリップと前記第２クリップとの間の相対位置を維持するために弾性支持を与え、
前記第２弾性部材が前記ピボットに設けられ、前記第２弾性部材の両端はそれぞれ前記第１クリップの内側と前記第２クリップの内側とに押し付けられており、
前記少なくとも４組の係合構造が、対応する各組の前記第１リブと前記第２リブとの隣接位置に、それぞれ配置されており、各前記係合構造には一方向歯列が設けられており、対応する前記第１リブと前記第２リブにそれぞれ隣接する位置には締結隆起部が配置されており、前記第１クリップと前記第２クリップとが互いにクランプされているときには、各組の前記係合構造に対応する前記１方向歯列と前記締結隆起部とが互いに座屈して締め付け力を維持するヘアクリップ。
【手続補正２】
【補正対象書類名】実用新案登録請求の範囲
【補正対象項目名】請求項２
【補正方法】変更
【補正の内容】
【請求項２】
前記第１クリップと前記第２クリップとが互いにクランプされているとき、前記少なくとも４組の係合構造の各組の隣接する各前記係合構造の各前記一方向歯列と各前記締結隆起部とが互いに対向し、係合するように配置されている請求項１に記載のヘアクリップ。
【手続補正３】
【補正対象書類名】明細書
【補正対象項目名】０００６
【補正方法】変更
【補正の内容】
【０００６】
上記目的を達成するために、本考案のヘアクリップは、第１クリップと、第２クリップと、啓開装置と、少なくとも１つの第１弾性部材と、第２弾性部材と、少なくとも４組の係合構造と、を有する。
第１クリップは、一端に複数の第１リブが設けられ、他端に複数の第１回転軸ブラケットが設けられており、第２クリップに設けられる第２リブの幅、および隣接する第１回転軸ブラケットの間に形成される空間は、第２クリップ２の第２回転軸ブラケットの幅よりも大きい。
第２クリップは、一端に複数の第２リブが設けられ、他端に複数の第２回転軸ブラケットが設けられており、第１リブの幅と、隣接する第２回転軸ブラケットの間に形成される空間とは、第１クリップの第１回転軸ブラケットの幅よりも大きく、隣接する第２クリップは、第１クリップの第１回転軸ブラケットの幅よりも広い。
啓開装置が第１クリップの複数の第１回転軸ブラケットと第２クリップの複数の第２回転軸ブラケットとの間に配置され、ピボットを有し、第１クリップの複数の第１回転軸ブラケットと第２クリップの複数の第２回転軸ブラケットとは互い違いに配置され、第１クリップの第１シャフトはピボットを介してプリペンド（結合）され、第１回転軸ブラケットは、第２クリップの複数の第２回転軸ブラケットに結合される。
少なくとも１つの第１弾性部材が隣接する第１回転軸ブラケットと第２回転軸ブラケットとの間に配置され、第１クリップと第２クリップとの間の相対位置を維持するために弾性支持を与える。
第２弾性部材がピボットに設けられ、第２弾性部材の両端はそれぞれ第１クリップの内側と第２クリップの内側とに押し付けられている。
少なくとも４組の係合構造が、対応する各組の第１リブと第２リブとの隣接位置に、それぞれ配置されており、各係合構造には一方向歯列が設けられており、対応する第１リブと第２リブにそれぞれ隣接する位置には締結隆起部が配置されており、第１クリップと第２クリップとが互いにクランプされているときには、各組の係合構造に対応する１方向歯列と締結隆起部とが互いに座屈して締め付け力を維持する。
【手続補正４】
【補正対象書類名】明細書
【補正対象項目名】０００８
【補正方法】変更
【補正の内容】
【０００８】
（実施例（一））
この考案がはっきり分かるように、以下、１〜１０図に示した実際の組み立て方を参照して説明する。
一つ第１クリップ１の一端には複数の第１リブ１０が設けられ、他端には複数の第１回転軸ブラケット１１が設けられている。
シート２の第２リブ２０の幅、および隣接する第１回転軸ブラケット１１の間に形成される空間は、第２クリップ２の第２回転軸ブラケット２１の幅よりも大きい。
リブ１０と第１回転軸ブラケット１１とによって形成される空間は、それぞれ第２クリップ２の第２リブ２０と第第２回転軸ブラケット２１との移動空間として利用することができる。
第１クリップ１と第２クリップは互いに対して横方向に移動可能である。
【手続補正５】
【補正対象書類名】明細書
【補正対象項目名】００１０
【補正方法】変更
【補正の内容】
【００１０】
一つ第２クリップ２の一端には複数の第２リブ２０が設けられ、他端には複数の第２回転軸ブラケット２１が設けられている。
第１クリップ１の第１リブ１０の幅と、隣接する第２回転軸ブラケット２１の間に形成される空間とは、第１クリップ１の第１回転軸ブラケット１１の幅よりも大きく、隣接する第２クリップは、第１クリップ１の第１軸ブラケット１１の幅よりも広い。
第１クリップ１の第１リブ１０と第１回転軸ブラケット１１との移動空間として、リブ２０と第２回転軸ブラケット２１とによって形成される空間をそれぞれ利用することができるので、第１クリップを利用することができる。
第１クリップ１と第２クリップ２は互いに対して横方向に移動可能である。
【手続補正６】
【補正対象書類名】明細書
【補正対象項目名】００１４
【補正方法】変更
【補正の内容】
【００１４】
各組の対応する第１リブ１０と第２リブ２０との隣接位置には、少なくとも４組の係合構造４がそれぞれ配置されており、係合構造４には１方向歯列４０が設けられている。
対応する第１リブ１０と第２リブ２０にそれぞれ隣接する位置には、締結隆起部４１が配置されている。
このように、第１クリップ１と第２クリップ２とが互いにクランプされているときには、各組の係合構造４に対応する１方向歯列４０と締結隆起部４１とが互いに座屈する。
ヘアクリップの締め付け力を維持するため、本考案の創作者による実際の試験によれば、第１クリップと第２クリップとが互いにクランプされているとき、少なくとも４組の係合構造の各組の、各一方向歯列４０と隣接する各係合構造４の各締結隆起部４１とが互いに対向し、係合するように配置されている（例えば、図１〜１０に示すように）。
これにより、ヘアクリップの締める力は最も平均的となり、ヘアクリップが髪の毛の圧力によって押し上げられるのを効果的に防ぐことができる。